(57)【要約】【課題】長尺体の端縁の垂れを回避し、繋ぎ合わせた長尺体が分離することを防止することができる長尺体繋ぎ装置および長尺体繋ぎ方法を提供すること。【解決手段】長尺体繋ぎ装置１は、新長尺体ＲＳ１を引き出す引出手段３と、新長尺体ＲＳ１と旧長尺体ＲＳ２とを重ね合わせて挟持することで、新長尺体ＲＳ１および旧長尺体ＲＳ２に重複領域を形成する挟持手段４と、前記重複領域で新長尺体ＲＳ１および旧長尺体ＲＳ２を切断することで、新長尺体ＲＳ１に先端縁を形成するとともに、旧長尺体ＲＳ２に終端縁を形成する切断手段５と、終端縁および先端縁の垂れを起こす垂れ起こし手段６と、終端縁と先端縁とに跨る領域に繋ぎシートＣＳを貼付する貼付手段７とを備えている。【選択図】図１
2014091584.tif 000002
【特許請求の範囲】
【請求項１】
帯状の新長尺体および帯状の旧長尺体それぞれの延出方向を一致させた状態で、これら新長尺体と旧長尺体とを突き合わせて接続する長尺体繋ぎ装置において、
前記新長尺体を引き出す引出手段と、
前記新長尺体と前記旧長尺体とを重ね合わせて挟持することで、新長尺体および旧長尺体に重複領域を形成する挟持手段と、
前記重複領域で新長尺体および旧長尺体を切断することで、前記新長尺体に先端縁を形成するとともに、前記旧長尺体に終端縁を形成する切断手段と、
前記終端縁と先端縁とに跨る領域に繋ぎシートを貼付する貼付手段とを備え、
前記終端縁および前記先端縁の垂れを起こす垂れ起こし手段をさらに備えていることを特徴とする長尺体繋ぎ装置。
【請求項２】
前記垂れ起こし手段は、離間接近可能な一対の案内部材を有していることを特徴とする請求項１に記載の長尺体繋ぎ装置。
【請求項３】
帯状の新長尺体および帯状の旧長尺体それぞれの延出方向を一致させた状態で、これら新長尺体と旧長尺体とを突き合わせて接続する長尺体繋ぎ方法において、
前記新長尺体を引き出す工程と、
前記新長尺体と前記旧長尺体とを重ね合わせて挟持することで、新長尺体および旧長尺体に重複領域を形成する工程と、
前記重複領域で新長尺体および旧長尺体を切断することで、前記新長尺体に先端縁を形成するとともに、前記旧長尺体に終端縁を形成する工程と、
前記終端縁および前記先端縁の垂れを起こす工程と、
前記垂れを起こした前記終端縁および前記先端縁に繋ぎシートを貼付する工程とを備えていることを特徴とする長尺体繋ぎ方法。
【発明の詳細な説明】
【技術分野】
【０００１】
本発明は、長尺体繋ぎ装置および長尺体繋ぎ方法に関する。
【背景技術】
【０００２】
従来、旧ウェブの終端と新ウェブの先端とを突き合わせ、この付き合わせた両端にわたって接合テープを貼付する突き合わせ継ぎ装置が知られている（例えば、特許文献１参照）。
この突き合わせ継ぎ装置は、旧ウェブ側ウェブ保持具および新ウェブ側ウェブ保持具と、両ウェブ保持具の間隙を進退する切断具と、接合テープを保持するテープ保持具とを備えている。旧ウェブと新ウェブとを継ぐ際には、重ね合わせた両ウェブを切断した後、新旧ウェブの不要部を除去し、旧ウェブの終端縁および新ウェブの先端縁に接合テープを貼付する。
【先行技術文献】
【特許文献】
【０００３】
【特許文献１】特開平１０−３０５９５０号公報
【発明の概要】
【発明が解決しようとする課題】
【０００４】
しかしながら、特許文献１に記載されたような従来の突き合わせ継ぎ装置では、両ウェブ保持具の前方保持部と後方保持部との間隙に切断具を進退させて新旧ウェブを切断するため、ウェブ保持具の吸引面が存在しない当該間隙内に新旧ウェブの端縁が垂れてしまう。
垂れた側とは反対側から粘着シートを貼付する場合、この垂れた箇所には接合シートが貼付されないため、接合面積が減ってしまい、継いだウェブを繰り出している途中で新旧ウェブが分離してしまうという不都合がある。
また、垂れた側から接合シートを貼付する場合、新旧ウェブの端縁が折り返された状態で接合シートが貼付されてしまい、例えば、新旧ウェブが帯状の剥離シートに帯状の接着シートが仮着されたものの場合、新ウェブ（あるいは旧ウエブ）の接着シートおよび剥離シートの両方にわたって接合シートが貼付されてしまい、接着シートから剥離シートを剥離できないという不都合を招来する。
【０００５】
本発明の目的は、長尺体の端縁の垂れを回避し、繋ぎ合わせた長尺体が分離することを防止することができる長尺体繋ぎ装置および長尺体繋ぎ方法を提供することにある。
また、本発明の他の目的は、接着シートから剥離シートを剥離できないという不都合が生じることがない長尺体繋ぎ装置および長尺体繋ぎ方法を提供することにある。
【課題を解決するための手段】
【０００６】
前記目的を達成するために、本発明の長尺体繋ぎ装置は、帯状の新長尺体および帯状の旧長尺体それぞれの延出方向を一致させた状態で、これら新長尺体と旧長尺体とを突き合わせて接続する長尺体繋ぎ装置において、前記新長尺体を引き出す引出手段と、前記新長尺体と前記旧長尺体とを重ね合わせて挟持することで、新長尺体および旧長尺体に重複領域を形成する挟持手段と、前記重複領域で新長尺体および旧長尺体を切断することで、前記新長尺体に先端縁を形成するとともに、前記旧長尺体に終端縁を形成する切断手段と、前記終端縁と先端縁とに跨る領域に繋ぎシートを貼付する貼付手段とを備え、前記終端縁および前記先端縁の垂れを起こす垂れ起こし手段をさらに備えている、という構成を採用している。
【０００７】
この際、本発明の長尺体繋ぎ装置では、前記前記垂れ起こし手段は、離間接近可能な一対の案内部材を有している、ことが好ましい。
【０００８】
一方、本発明の長尺体繋ぎ方法は、帯状の新長尺体および帯状の旧長尺体それぞれの延出方向を一致させた状態で、これら新長尺体と旧長尺体とを突き合わせて接続する長尺体繋ぎ方法において、前記新長尺体を引き出す工程と、前記新長尺体と前記旧長尺体とを重ね合わせて挟持することで、新長尺体および旧長尺体に重複領域を形成する工程と、前記重複領域で新長尺体および旧長尺体を切断することで、前記新長尺体に先端縁を形成するとともに、前記旧長尺体に終端縁を形成する工程と、前記終端縁および前記先端縁の垂れを起こす工程と、前記垂れを起こした前記終端縁および前記先端縁に繋ぎシートを貼付する工程とを備えている、という構成を採用している。
【発明の効果】
【０００９】
以上のような本発明によれば、新長尺体の先端縁および旧長尺体の終端縁の垂れを起し、当該先端縁および終端縁に繋ぎシートを貼付するため、新長尺体の先端縁および旧長尺体の終端縁の垂れを回避し、繋ぎ合わせた長尺体が分離することを防止することができる。
さらに、新旧長尺体が帯状の剥離シートに帯状の接着シートが仮着されたものの場合でも、新旧長尺体の端縁が折り返された状態で繋ぎシートが貼付されることがないので、接着シートから剥離シートを剥離できないという不都合が生じることもない。
【００１０】
この際、垂れ起こし手段を構成する一対の案内部材を離間接近させるだけの構成でシートを切断する切断手段が通過する溝を形成する状態と垂れを起こす状態とを切り替えることができる。
【図面の簡単な説明】
【００１１】
【図１】本発明の一実施形態に係る長尺体繋ぎ装置の正面図。
【図２】（Ａ）、（Ｂ）は、長尺体繋ぎ装置の動作説明図。
【図３】（Ｃ）、（Ｄ）は、長尺体繋ぎ装置の動作説明図。
【発明を実施するための形態】
【００１２】
以下、本発明の一実施形態を図面に基づいて説明する。
なお、本明細書において、基準となる図を挙げることなく、例えば、上、下、左、右、または、前、後といった方向を示した場合は、全て図１を正規の方向（付した番号が適切な向きとなる方向）から観た場合を基準とし、上、下、左、右方向が紙面に平行な方向であり、前が紙面に直交する手前方向、後が紙面に直交する奥方向とする。
また、本明細書および特許請求の範囲において、「旧長尺体」および「新長尺体」は、２本の長尺体を接続するにあたって、相対的に先に繰り出して利用される方を「旧長尺体」、後に繰り出して利用される方を「新長尺体」とする。また、新長尺体を繰り出して当該新長尺体の終端縁に次の長尺体を接続する場合、当該新長尺体が旧長尺体となり、次の長尺体が新長尺体となる。
【００１３】
図１において、長尺体繋ぎ装置１は、帯状の新長尺体ＲＳ１および帯状の旧長尺体ＲＳ２それぞれの延出方向（左右方向）を一致させた状態で、これら新長尺体ＲＳ１と旧長尺体ＲＳ２とを突き合わせて接続する長尺体繋ぎ装置において、新長尺体ＲＳ１および旧長尺体ＲＳ２を支持する支持手段２と、新長尺体ＲＳ１を引き出す引出手段３と、新長尺体ＲＳ１および旧長尺体ＲＳ２を重ね合わせて挟持することで、新長尺体ＲＳ１および旧長尺体ＲＳ２に重複領域ＷＡ（図２（Ａ）参照）を形成する挟持手段４と、重複領域ＷＡで新長尺体ＲＳ１および旧長尺体ＲＳ２を切断することで、新長尺体ＲＳ１に先端縁ＲＳ１１（図２（Ｂ）参照）を形成するとともに、旧長尺体ＲＳ２に終端縁ＲＳ２２（図２（Ｂ）参照）を形成する切断手段５と、先端縁ＲＳ１１および終端縁ＲＳ２２の垂れを起こす垂れ起こし手段６と、先端縁ＲＳ１１と終端縁ＲＳ２２とに跨る領域に繋ぎシートＣＳを貼付する貼付手段７と、を備えている。
ここで、新旧長尺体ＲＳ１、ＲＳ２は、帯状の基材シートＢＳ１、ＢＳ２の一方の面に接着剤層ＡＤ１、ＡＤ２を有する第１および第２接着シートＡＳ１、ＡＳ２が当該接着剤層ＡＤ１、ＡＤ２を介して帯状の剥離シートＲＬ１、ＲＬ２の一方の面に仮着された構成を有し、巻芯ＲＴ１、ＲＴ２に巻回されている。
なお、この長尺体繋ぎ装置１で繋がれた新旧長尺体ＲＳ１、ＲＳ２は、例えば、第１および第２接着シートＡＳ１、ＡＳ２に所定形状の切り込みを形成し、当該切り込みの内側を貼付用シートとして図示しない被貼付体に貼付する所謂シート貼付装置や、第１および第２接着シートＡＳ１、ＡＳ２を所定の長さで別の巻芯に巻き替える所謂巻替装置等の他の装置１０に繰り出される。
【００１４】
支持手段２は、巻芯ＲＴ１、ＲＴ２を介してそれぞれ新旧長尺体ＲＳ１、ＲＳ２を繰り出し可能に支持する第１および第２支持ローラ２１、２２を備えている。
【００１５】
引出手段３は、駆動機器としての第１および第２リニアモータ３１Ａ、３１Ｂの各スライダ３２Ａ、３２Ｂに支持され、それぞれ一対の把持爪３４Ａ、３４Ｂを接離可能に設けられた駆動機器としての第１および第２チャックシリンダ３３Ａ、３３Ｂを備えている。
【００１６】
挟持手段４は、上下一対の駆動機器としての直動モータ４１、４２それぞれの出力軸４１Ａ、４２Ａに支持されたガイドローラ４１Ｂ、４２Ｂと、上下一対の駆動機器としての直動モータ４３、４４それぞれの出力軸４３Ａ、４４Ａに支持され、図示しない減圧ポンプや真空エジェクタ等などの減圧手段に接続された吸着プレート４３Ｂ、４４Ｂと、上下一対の駆動機器としての直動モータ４５、４６それぞれの出力軸４５Ａ、４６Ａに支持され、図示しない減圧ポンプや真空エジェクタ等などの減圧手段に接続された吸着プレート４５Ｂ、４６Ｂとを備えている。
【００１７】
切断手段５は、駆動機器としての直動モータ５１の出力軸５１Ａに支持された正面視下向きＵ字型のブラケット５２と、ブラケット５２に支持された駆動機器としての回動モータ５３の出力軸５３Ａに支持された四角柱形状の第１回動体５４と、この第１回動体５４の第１面５４Ａに支持された駆動機器としてのリニアモータ５５のスライダ５５Ａに支持された切断刃５７とを備えている。
【００１８】
垂れ起こし手段６は、駆動機器としての直動モータ６１の出力軸６１Ａに支持され、正面視上向きＵ字型のブラケット６２と、ブラケット６２に支持された駆動機器としての回動モータ６３の出力軸６３Ａに支持された四角柱形状の第２回動体６４と、この第２回動体６４の第１面６４Ａに支持された駆動機器としてのリニアモータ６５の一対のスライダ６５Ａにそれぞれ設けられた一対の案内部材６７とを備えている。一対の案内部材６７は離間した状態でそれらの間に案内溝ＣＬを形成する。
【００１９】
貼付手段７は、第１および第２回動体５４、６４の第２面５４Ｂ、６４Ｂに支持された図示しない減圧ポンプや真空エジェクタ等などの減圧手段に接続された第１および第２保持プレート７１Ａ、７１Ｂを備えている。
【００２０】
以上の長尺体繋ぎ装置１において、新長尺体ＲＳ１を旧長尺体ＲＳ２に繋ぎ合わせる手順としては、まず、他の装置１０によって支持手段２の第２支持ローラ２２から旧長尺体ＲＳ２を繰り出している間に、オペレータまたは図示しない原反先端供給手段等が新長尺体ＲＳ１を支持手段２の第１支持ローラ２１に取り付け、当該新長尺体ＲＳ１の先端を引き出し、左端に位置する第１チャックシリンダ３３Ａの第１把持爪３４Ａ間に位置させると、引出手段３が第１チャックシリンダ３３Ａを駆動し、図１中実線で示すように、当該第１把持爪３４Ａで新長尺体ＲＳ１の先端を把持する。次いで、引出手段３が第１リニアモータ３１Ａを駆動し、図１中二点鎖線で示すように、第１チャックシリンダ３３Ａを右方向に移動させることで、新長尺体ＲＳ１を引き出す。また、オペレータ又は図示しない繋ぎシート供給手段等が繋ぎシートＣＳを第１および第２保持プレート７１Ａ、７１Ｂに供給すると、貼付手段７が図示しない減圧手段を駆動し、第１および第２保持プレート７１Ａ、７１Ｂに繋ぎシートＣＳをそれぞれ吸着保持する。
【００２１】
その後、旧長尺体ＲＳ２を繰り出す間に、旧長尺体ＲＳ２の減少又は旧長尺体ＲＳ２の最終端が図示しないセンサ等の検知手段で検知されると、他の装置１０による旧長尺体ＲＳ２の繰り出しを停止する。次いで、挟持手段４が直動モータ４１、４２、４３、４４、４５、４６および図示しない減圧手段を駆動し、図２（Ａ）に示すように、ガイドローラ４１Ｂ、４２Ｂ、吸着プレート４３Ｂ、４４Ｂ、４５Ｂ、４６Ｂを接近させ、新旧長尺体ＲＳ１、ＲＳ２を吸着保持しながら挟持することで、新旧長尺体ＲＳ１、ＲＳ２が重ね合わされ、重複領域ＷＡが形成される。
【００２２】
次に、切断手段５が直動モータ５１を駆動し、図２（Ａ）中二点鎖線で示すように、切断刃５７を下降させ、切断刃５７を重ね合わせた新旧長尺体ＲＳ１、ＲＳ２の後方に位置させるとともに、垂れ起こし手段６が直動モータ６１を駆動し、一対の案内部材６７を上昇させ、案内溝ＣＬを形成している一対の案内部材６７を旧長尺体ＲＳ２の下面に接触させる。その後、切断手段５がリニアモータ５５を駆動し、切断刃５７を案内溝ＣＬに沿って前方に移動させることで、新旧長尺体ＲＳ１、ＲＳ２を切断し、新長尺体ＲＳ１における切断位置よりも左側に先端縁ＲＳ１１を形成するとともに、旧長尺体ＲＳ２における切断位置よりも右側に終端縁ＲＳ２２を形成する。なお、新旧長尺体ＲＳ１、ＲＳ２を切断するときに、案内部材６７の上面で旧長尺体ＲＳ２の下面を吸着保持したり、案内部材６７の上面と図示しない押え部材で新旧長尺体ＲＳ１、ＲＳ２を挟み込むように構成したりしてもよい。
【００２３】
その後、切断手段５が各モータ５５、５１を駆動し、切断刃５７を後方へ移動させつつ上昇させる。ここで、新旧長尺体ＲＳ１、ＲＳ２における切断位置左右両側は、図２（Ｂ）に示すように、切断刃５７の切断動作によって下方に垂れた状態となっている。
そこで、垂れ起こし手段６がリニアモータ６５を駆動し、図３（Ｃ）に示すように、案内部材６７を接近させることで、新長尺体ＲＳ１の先端縁ＲＳ１１および旧長尺体ＲＳ２の終端縁ＲＳ２２の垂れを起こす。その後、切断手段５が回動モータ５３を駆動し、第１回動体５４を回動させ、繋ぎシートＣＳを新長尺体ＲＳ１上面に対向させる。さらに、挟持手段４が直動モータ４５を駆動し、吸着プレート４５Ｂを上昇させることで、新長尺体ＲＳ１における切断位置よりも右側の部分を取り去る。そして、切断手段５が直動モータ５１を駆動し、図３（Ｃ）に二点鎖線で示すように、第１保持プレート７１Ａを下降させ、先端縁ＲＳ１１および終端縁ＲＳ２２の上面に繋ぎシートＣＳを貼付する。
【００２４】
次いで、垂れ起こし手段６が直動モータ６１および回動モータ６３を駆動し、図３（Ｄ）に示すように、一対の案内部材６７を下降させた後、第２回動体６４を回動させ、繋ぎシートＣＳを旧長尺体ＲＳ２の下面に対向させる。さらに、挟持手段４が直動モータ４２、４４を駆動し、ガイドローラ４２Ｂおよび吸着プレート４４Ｂを下降させることで、旧長尺体ＲＳ２における切断位置よりも左側の部分を取り去る。そして、垂れ起こし手段６が直動モータ６１を駆動し、図３（Ｄ）に二点鎖線で示すように、第２保持プレート７１Ｂを上昇させて先端縁ＲＳ１１および終端縁ＲＳ２２の下面に繋ぎシートＣＳを貼付する。
【００２５】
その後、貼付手段７が図示しない減圧手段の駆動を停止し、第１および第２保持プレート７１Ａ、７１Ｂによる繋ぎシートＣＳの吸着保持を解除し、切断手段５および垂れ起こし手段６が直動モータ５１、６１を駆動し、繋ぎシートＣＳから第１および第２保持プレート７１Ａ、７１Ｂを離間させる。
次いで、切断手段５が回動モータ５３を駆動し、切断刃５７を図１の実線で示す状態に戻し、垂れ起こし手段６が回動モータ６３およびリニアモータ６５を駆動し、一対の案内部材６７を図１の実線で示す状態に戻す。また、挟持手段４が図示しない減圧手段の駆動を停止し、吸着プレート４３Ｂ、４６Ｂの吸着保持を解除し、直動モータ４１、４３、４６を駆動し、ガイドローラ４１Ｂおよび吸着プレート４３Ｂ、４６Ｂを新旧長尺体ＲＳ１、ＲＳ２から離間させる。この状態で、他の装置１０を駆動することにより、旧長尺体ＲＳ２に連続して新長尺体ＲＳ１が繰り出され、新長尺体ＲＳ１が旧長尺体ＲＳ２となって第１支持ローラ２１から繰り出されることになる。
【００２６】
また、挟持手段４が図示しない減圧手段の駆動を停止し、吸着プレート４４Ｂ、４５Ｂによる吸着保持を解除し、引出手段３が第１チャックシリンダ３３Ａを駆動し、新長尺体ＲＳ１における切断位置よりも右側の部分の把持を解除した後、オペレータや図示しない駆動機器等がそれを取り外すともに、巻芯ＲＴ２を第２支持ローラ２２から取り外し、図示しない巻芯に巻回された次の長尺体を新長尺体ＲＳ１として第２支持ローラ２２に取り付ける。
次いで、引出手段３が第２リニアモータ３１Ｂを駆動し、第２チャックシリンダ３３Ｂを左端に移動させた後、オペレータまたは図示しない原反先端供給手段等が新長尺体ＲＳ１の先端を引き出し、第２チャックシリンダ３３Ｂの第２把持爪３４Ｂ間に位置させると、引出手段３が第２チャックシリンダ３３Ｂを駆動し、当該第２把持爪３４Ｂで新長尺体ＲＳ１の先端を把持する。次いで、引出手段３が第２リニアモータ３１Ｂを駆動し、第２チャックシリンダ３３Ｂを右方向に移動させることで、新長尺体ＲＳ１を引き出す。その後、旧長尺体ＲＳ２の残量が少なくなったことが図示しない検知手段で検知されると、上記同様の処理により旧長尺体ＲＳ２の終端に新長尺体ＲＳ１を繋ぎ合わせる。
【００２７】
以上のような実施形態によれば、次のような効果がある。
新長尺体ＲＳ１の先端縁ＲＳ１１および旧長尺体ＲＳ２の終端縁ＲＳ２２の垂れを起し、当該先端縁ＲＳ１１および終端縁ＲＳ２２に繋ぎシートＣＳを貼付するため、新長尺体ＲＳ１の先端縁ＲＳ１１および旧長尺体ＲＳ２の終端縁ＲＳ２２の垂れを回避し、繋ぎ合わせた新旧長尺体ＲＳ１、ＲＳ２が分離することを防止できる。
さらに、新旧長尺体ＲＳ１、ＲＳ２が第１および第２帯状の剥離シートＲＬ１、ＲＬ２に帯状の第１および第２接着シートＡＳ１、ＡＳ２が仮着された新旧長尺体ＲＳ１、ＲＳ２が仮着されたものの場合でも、新旧長尺体ＲＳ１、ＲＳ２の端縁が折り返された状態で繋ぎシートＣＳが貼付されることがないので、第１および第２接着シートＡＳ１、ＡＳ２から剥離シートＲＬ１、ＲＬ２を剥離できないという不都合が生じることもない。
【００２８】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００２９】
例えば、繋ぎ合わせる対象の新旧長尺体としては、帯状の基材シートＢＳ１、ＢＳ２の一方の面に接着剤層ＡＤ１、ＡＤ２を有する第１および第２接着シートＡＳ１、ＡＳ２のみであってもよいし、帯状の剥離シートＲＬの一方の面に所定形状に切断された接着シートＡＳが仮着されたものであってもよいし、その他、紙、布、鋼板、ベルト、樹脂、木板などであってもよい。
さらに、新長尺体と旧長尺体とは、材質、形状、構成、組成的に同じものでも異なるものでもよい。
また、先端縁ＲＳ１１および終端縁ＲＳ２２の下面または上面に繋ぎシートＣＳを貼付しなくてもよい。
さらに、一対の案内部材６７を接近させずに、出力軸６１Ａを回転軸として一対の案内部材６７を回転させることによって垂れを起こしてもよい。
また、他の装置１０は、塗工装置、印刷装置等、長尺体の次工程の加工に合わせた加工装置が適宜選択できる。
さらに、先端縁ＲＳ１１および終端縁ＲＳ２２の上面に繋ぎシートＣＳを貼付してから、垂れ起こし手段６で、新長尺体ＲＳ１の先端縁ＲＳ１１および旧長尺体ＲＳ２の終端縁ＲＳ２２の垂れを起こすように構成してもよい。
【００３０】
また、本発明における第１および第２接着シートＡＳ１、ＡＳ２の種別や材質などは、特に限定されず、例えば、基材シートと接着剤層との間に設けられる中間層を有するものや、他の層を有する等３層以上のものでもよい。また、本発明におけるシートは、保護シート、ダイシングテープ、ダイアタッチフィルム、その他の任意のシート、フィルム、テープ等、任意の用途、形状のシート等であってもよい。
【００３１】
さらに、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００３２】
１…長尺体繋ぎ装置
３…引出手段
４…挟持手段
５…切断手段
６…垂れ起こし手段
７…貼付手段
５７…切断刃
６７…案内部材
ＲＳ１…新長尺体
ＲＳ２…旧長尺体
ＲＳ１１…先端縁
ＲＳ２２…後端縁
ＣＳ…繋ぎシート
ＷＡ…重複領域
【図１】
2014091584.tif 000003
【図２】
2014091584.tif 000004
【図３】
2014091584.tif 000005